(57)【要約】【課題】印刷した受信原稿のＴＴＩ（発信元情報）の印字品質を向上させる複合機を提供すること。【解決手段】ＴＴＩ６ａの画データを生成する生成手段と、生成したＴＴＩ６ａの画データを受信原稿の画データ２に合成して印刷する記録部５と、を備える複合機１において、前記生成手段は、前記ＴＴＩの画データを、ＴＴＩの文字コードに対応するアウトラインフォントをＰＤＬ変換ボード４によりラスタライズすることによって生成するものである。【選択図】図１
2005244545.tif 000002
【特許請求の範囲】
【請求項１】
ＴＴＩの画データを生成する生成手段と、生成したＴＴＩの画データを受信原稿の画データに合成して印刷する手段と、を備える複合機において、前記生成手段は、前記ＴＴＩの画データをＴＴＩの文字コードに対応するアウトラインフォントをラスタライズすることによって生成することを特徴とする複合機。
【請求項２】
前記生成手段が行うＴＴＩの文字コードに対応するアウトラインフォントのラスタライズは、自装置に着脱可能に装着されるラスタライズ処理ボード上で行われるものであり、
前記ラスタライズ処理ボードの自装置への着脱状態を検出する検出手段をさらに備え、前記生成手段は、前記検出手段により前記ラスタライズ処理ボードが自装置に装着されていないと判断した場合には、前記ＴＴＩの画データをＴＴＩの文字コードに対応するビットマップフォントをラスタライズすることによって生成することを特徴とする請求項１記載の複合機。
【発明の詳細な説明】
【技術分野】
【０００１】
本発明は、ファクシミリ通信、インターネットファクシミリ通信等により受信した画データにＴＴＩ（発信元情報）を付加して印刷する機能を備えた複合機に関する。
【背景技術】
【０００２】
従来のファクシミリ通信機能等を有する複合機においては、ファクシミリ通信により受信した画データを印刷する際に、前記画データとともに受信したＴＳＩ（送信端末識別信号）に含まれる発信元電話番号などのＴＴＩ（発信元情報）を受信した原稿の画データに付加して印刷するＴＴＩ付加機能を備えるものがある。最近の複合機はＰＣプリント機能を備えており（例えば、特許文献１参照。）、ＰＣプリント機能によりクライアントＰＣ（パーソナルコンピュータ）から受信した画データを印刷する際には、アウトラインフォントを使用するものの、前記ＴＴＩ付加機能により付加するＴＴＩのフォントは、依然としてビットマップフォントに限られていた。
【特許文献１】特開２０００−５９５５６
【発明の開示】
【発明が解決しようとする課題】
【０００３】
上述のように、従来の複合機においては、印刷された受信原稿のＴＴＩにビットマップフォントが使用されるので、表示されたＴＴＩを読み難いという問題があった。本発明は、かかる課題に鑑みてなされたものであり、印刷した受信原稿のＴＴＩの印字品質を向上させることを可能とする複合機を提供することを目的とする。
【課題を解決するための手段】
【０００４】
上記目的を達成するために、請求項１記載の複合機は、ＴＴＩの画データを生成する生成手段と、生成したＴＴＩの画データを受信原稿の画データに合成して印刷する手段と、を備える複合機において、前記生成手段は、前記ＴＴＩの画データを、ＴＴＩの文字コードに対応するアウトラインフォントをラスタライズすることによって生成することを特徴としている。
【０００５】
請求項２記載の複合機は、請求項１記載の複合機において、前記生成手段が行うＴＴＩの文字コードに対応するアウトラインフォントのラスタライズは、自装置に着脱可能に装着されるラスタライズ処理ボードで行われるものであり、前記ラスタライズ処理ボードの自装置への着脱状態を検出する検出手段をさらに備え、前記生成手段は、前記検出手段により前記ラスタライズ処理ボードが自装置に装着されていないと判断した場合には、前記ＴＴＩの画データを、ＴＴＩの文字コードに対応するビットマップフォントをラスタライズすることによって生成することを特徴としている。
【発明の効果】
【０００６】
請求項１記載の複合機によれば、印刷した受信原稿のＴＴＩの印字品質を向上させることができる。
【０００７】
請求項２記載の複合機によれば、ラスタライズ処理ボードが複合機本体に装着されていない場合は、ＴＴＩとして複合機側のビットマップフォントが使用され、ラスタライズ処理ボードが複合機本体に装着されている場合には、ＴＴＩとしてアウトラインフォントが使用されるので、かかる複合機によれば、ラスタライズ処理ボードをオプション製品とすることが可能となる。
【発明を実施するための最良の形態】
【０００８】
以下本発明の実施の形態に係る複合機について図面に基づき説明する。本発明の実施の形態に係る複合機１は、ファクシミリ通信機能、インタネットファクシミリ通信機能、ＰＣプリント機能などを備える。図１に複合機１の制御手段等によって形成される機能ブロックを示す。該機能ブロックに示されるように、複合機１は、ファクシミリ通信、インターネットファクシミリ通信などによって、外部から受信した受信原稿の画データ２に、後記ボード４によりラスタライズされたＴＴＩの画データを合成するＴＴＩ合成処理部３と、ＴＴＩ合成処理部３からＴＴＩの文字コードを受信してその文字コードに対応するアウトラインフォントをラスタライズすることによりＴＴＩの画データ（イメージデータ）を生成し、生成した画データをＴＴＩ合成処理部３に返信するラスタライズ処理ボードとして機能するＰＤＬデータ変換ボード４と、ＴＴＩ合成処理部３において合成された画データを記録紙上に記録する記録部５と、を備える。なお、前記ＰＤＬデータ変換ボード５は、複合機１がＰＣプリント機能の実行により、クライアントＰＣから受信したＰＤＬプリントデータに対しても本来の役割としてラスタライズ処理を行うものである。
【０００９】
ＴＴＩ合成処理部３をより詳しく説明すると、該処理部３は、ファクシミリ通信のＴＳＩやインターネットファクシミリ通信のメールヘッダ情報などから発信元に関する情報、例えば発信元ファクシミリ番号、発信元メールアドレス等、をＴＴＩとして取得し、その文字コードをＰＤＬデータ変換ボード４に出力することによりアウトラインフォントのラスタライズデータを取得する。そして、取得したＴＴＩの画データを受信原稿の画データの特定部分（例えば各ページの上縁部分）において合成し、合成した画データを記録部５に出力して、図示するように、ＴＴＩ６ａが付加された受信原稿６を印字出力する。
【００１０】
次に、上記複合機１の構成例を図２に示す。すなわち、複合機１は、ＣＰＵ（中央処理装置）８、ＲＡＭ（ランダムアクセスメモリー）９、ＲＯＭ（リードオンリーメモリー）１０、画像メモリ１１、読取部１２、コーデック１３、モデム１４、ＮＣＵ１５、表示部１６、操作部１７、記録部５、ＰＤＬデータ変換ボード４、及びＬＡＮインタフェース１８を備えたものであって、これら各部はバス１９によって接続されている。
【００１１】
ＣＰＵ８は、ＲＯＭ１０に格納された制御プログラムに従って、この複合機１を構成する各部を制御する制御手段として機能する。ＲＡＭ９は、ＣＰＵ８の主メモリ、ワークエリア等として機能する。また、ＲＡＭ９には、ビットマップフォントデータが格納されている。ＲＯＭ１０は前記制御プログラムを格納している。画像メモリ１１は、読取部１２で読み取られた画像データやコーデック１３によって圧縮符号化された画像データを一時的に記憶する。
【００１２】
読取部１２は、ＣＣＤラインセンサ、Ａ／Ｄコンバータ、画像処理回路等によって構成されており、原稿の画データの読取りを行う。コーデック１３は、画像メモリ１１に張り付けられた画データをＭＨ、ＭＲ，ＭＭＲ方式等により圧縮符号化し、或いは受信した符号化データを復号する。
【００１３】
モデム１４は、例えばＩＴＵ−Ｔ（国際電気通信連合）の勧告Ｖ．３４規格又はこれと同様のものに従った送受信データの変調及び復調を行うものであり、ＮＣＵ１５は、電話回線を制御してモデム１４とＰＳＴＮ（公衆交換電話網）とを接続したり切ったりする回線網制御装置である。
【００１４】
表示部１６は、例えば操作部１７に並設されたＬＣＤ（Ｌｉｑｕｉｄ  Ｃｒｙｓｔａｌ  Ｄｉｓｐｌａｙ）からなり、各種の画面情報を表示する表示手段として機能する。操作部１７は、文字等の情報を入力するための入力キーなどを具備し、ユーザによる各種の操作は、この操作部１７において行われる。記録部５は、ＰＤＬデータ変換ボード４においてラスタライズされた画データを記録紙上に画像形成する。
【００１５】
ＰＤＬデータ変換ボード４は、ＣＰＵバスライン１９に着脱可能に装着さており、ＣＰＵ８により該ＰＤＬデータ変換ボードの自装置１（詳細にはＣＰＵバスライン１９）への着脱状態が電気的に検出されるようになっている。また、ＰＤＬデータ変換ボード４は、受信したＰＤＬプリントデータを解析しラスタライズ等の処理を実行して、記録部１２へラスタライズした画像データを出力する。また、前記ＴＴＩ合成処理部３としての処理動作を実行するＣＰＵ８から渡されたＴＴＩの文字コードに対応するアウトラインフォントをラスタライズしてＣＰＵ８に返信する。なお、アウトラインフォントデータはＰＤＬデータ変換部４が内蔵するフォントＲＯＭ４ａに記憶されている。
【００１６】
ＬＡＮインタフェース１８は、複合機１とＬＡＮ２２とを接続し、複合機１とクライアントＰＣ２０、ルータ２１等の通信を可能にする。
【００１７】
つぎに、上記構成及び機能を備える複合機１において、ファクシミリ通信、インターネットファクシミリ通信などにより外部から原稿の画データを受信してこれを印刷するジョブが発生した場合に実行される複合機１の処理動作を図３に示すフローチャートに基づいて説明する。なお、このフローチャートに基づき説明する複合機１の処理動作は、ＲＯＭ１０に格納されている制御プログラムに基づいて制御手段であるＣＰＵ８が発行する命令に従って行われる。
【００１８】
外部から画データを受信し、受信原稿の画データの印刷ジョブを発生した場合（Ｓ１）、ＰＤＬデータ変換ボード４の着脱状態が検出され（Ｓ２）、同ボード４が装着されている場合（Ｓ２：ＹＥＳ）は、ＴＴＩ合成処理部３は、発生した印刷ジョブの印刷対象である受信原稿についてのＴＴＩの文字コードをＰＤＬデータ変換ボード４に送出する（Ｓ３）。ＰＤＬデータ変換ボード４は、ＴＴＩ合成処理部３から受信したＴＴＩの文字コードに対応するアウトラインフォントをラスタライズし（Ｓ４、Ｓ５）、ライスタライズしたＴＴＩのイメージデータをＴＴＩ合成処理部３に返信する（Ｓ６）。ＴＴＩ合成処理部３がＴＴＩの画データ（イメージデータ）を受信すると（Ｓ７）、これを受信原稿の画データ（イメージデータ）の所定位置に合成し（Ｓ８）、これを記録部５に送出する。そして、記録部５において、アウトラインフォントによるＴＴＩが付加された受信原稿が印字出力される（Ｓ９）。
【００１９】
一方、前記Ｓ２において、ＰＤＬデータ変換ボード４が装着されていないと判断された場合は（Ｓ２：ＮＯ）、ＴＴＩ合成処理部３は、ＲＡＭ３に格納されているビットマップフォントデータを用いて、受信原稿についてのＴＴＩの文字コードに対応するビットマップフォントをラスタライズし（Ｓ１０）、ライスタライズしたＴＴＩのイメージデータを受信原稿の画データ（イメージデータ）の所定位置に合成し（Ｓ８）、これを記録部５に送出する。そして、記録部５において、ビットマップフォントによるＴＴＩが付加された受信原稿が印字出力される（Ｓ９）。
【産業上の利用可能性】
【００２０】
本発明は、ファクシミリ通信、インターネットファクシミリ通信等により受信した画像にＴＴＩ（発信元情報）を付加して印刷する機能を備えた複合機に適用することができる。
【図面の簡単な説明】
【００２１】
【図１】本発明の実施の形態に係る複合機が形成する機能ブロックの例を示した図である。
【図２】本発明の実施の形態に係る複合機の構成例を示した図である。
【図３】本発明の実施の形態に係る複合機が受信原稿にＴＴＩを付加して印刷する際に実行する処理動作を示したフローチャートである。
【符号の説明】
【００２２】
１    複合機
２    受信原稿の画データ
３    ＴＴＩ合成処理部
４    ＰＤＬ（ページ記述言語）データ変換ボード
５    記録部
６ａ    ＴＴＩ（発信元情報）
８    ＣＰＵ
９    ＲＡＭ
１０    ＲＯＭ
【図１】
2005244545.tif 000003
【図２】
2005244545.tif 000004
【図３】
2005244545.tif 000005